(57)【要約】      （修正有）【課題】シンプルな構造で、照射範囲と明るさの両方を同時に制御する照明装置を提供する。【解決手段】第一搭載部と第二搭載部とを有する基板を用意する。第一搭載部と第二搭載部とに複数個のＬＥＤチップを、第一ＬＥＤ群よりも第二ＬＥＤ群の方が直列数が多くなるように、それぞれ直列接続して第一ＬＥＤ群１１、第二ＬＥＤ群１６を形成する。第一ＬＥＤ群の第一始端と第二ＬＥＤ群の第二始端とを第一外部端子に接続する。第一ＬＥＤ群の第一終端と第二ＬＥＤ群の第二終端を第二外部端子に接続する。第一及び第二ＬＥＤ群を封止体２１で封止する。第一ＬＥＤ群と第一又は第二外部端子との間に抵抗を直列で接続し、ＬＥＤモジュール２２とする。ＬＥＤモジュール２２から放出される光を正反射する内側の縦断面が近似放物線である反射傘３１を用意する。第一搭載部のみを、近似放物線の焦点３３の位置に設置して照明装置４１を得る。【選択図】図５
2018200817.tif 000002
【特許請求の範囲】
【請求項１】
第一搭載部と第二搭載部とを有する基板と、前記第一搭載部に複数個のＬＥＤチップを直列接続してなる第一ＬＥＤ群と、前記第二搭載部に前記第一ＬＥＤ群の直列数よりも多数のＬＥＤチップを直列接続してなる第二ＬＥＤ群と、前記第一ＬＥＤ群の第一始端と前記第二ＬＥＤ群の第二始端とが接続されている第一外部端子と、前記第一ＬＥＤ群の第一終端と前記第二ＬＥＤ群の第二終端とが接続されている第二外部端子と、前記第一及び第二ＬＥＤ群を覆った封止体と、前記第一ＬＥＤ群と第一外部端子又は第二外部端子との間に前記第一ＬＥＤ群と直列に接続される抵抗と、からなるＬＥＤモジュールと、
前記ＬＥＤモジュールから放出される光を正反射し、内側の縦断面が近似放物線である反射傘と、
からなり、前記第一搭載部のみが、前記近似放物線の焦点の位置に設置されている照明装置。
【請求項２】
前記抵抗は、前記第一ＬＥＤ群に流れる電流量と前記第二ＬＥＤ群に流れる電流量とが所定の電源電圧において逆転する抵抗値である請求項１に記載の照明装置。
【請求項３】
前記第一ＬＥＤ群のみの１／２配光角が、１５°以下である請求項１に記載の照明装置。
【請求項４】
前記封止体が、蛍光体を含む樹脂である請求項１に記載の照明装置。
【請求項５】
前記封止体が、前記第一搭載部及び／又は第二搭載部の周囲を囲む樹脂製のダムの内側にて前記ＬＥＤチップを封止している請求項１に記載の照明装置。
【請求項６】
前記第二ＬＥＤ群が、前記第一ＬＥＤ群の周囲に配置されている請求項１に記載の照明装置。
【請求項７】
前記第一ＬＥＤ群と前記第二ＬＥＤ群とは、同一の発光色である請求項１に記載の照明装置。
【発明の詳細な説明】
【技術分野】
【０００１】
本発明は、ＬＥＤを光源に用いた照明装置に関する。
【背景技術】
【０００２】
現在、屋内を照らすために様々な照明装置が使用されている。特に、プロジェクタを使うような会議室やオーディオルーム等の部屋では、壁面やスクリーンに投影される画像・映像を鮮明にするために室内全体は暗くする必要があるが、参加者・傍聴者・視聴者の手元等は、資料等を見るために狭い範囲で（局所的に）一定の明るさが欲しいという、相反する状態が求められている。この要求を解決するため、特許文献１では、レンズの位置を動かすことにより、照射範囲を変更するという方法をとった。
【先行技術文献】
【特許文献】
【０００３】
【特許文献１】特開２００７−５２９５７号公報
【発明の概要】
【発明が解決しようとする課題】
【０００４】
しかしながら、レンズや反射傘、光源そのもの等のいわゆる光学系の部品を物理的に動かして照射範囲を制御する場合、照明用の部品以外に、それらを動かすためのモーター等を追加しなければならず、部品点数の増加や、総重量が重くなり設置に条件がある、照射範囲を拡げる・狭めるという調整に手間がかかるという問題があった。また、これだけでは光源から放出される光の量は変わらないため、照射範囲と明るさとは別々に制御しなければならず、煩雑になるという問題もあった。したがって、本発明は、シンプルな構造で照射範囲の調整が可能であり、さらに、照射範囲と明るさとを同時に制御できる照明装置を得ることを目的とする。
【課題を解決するための手段】
【０００５】
そこで、本発明者らが鋭意研究を行った結果、
第一搭載部と第二搭載部とを有する基板と、前記第一搭載部に複数個のＬＥＤチップを直列接続してなる第一ＬＥＤ群と、前記第二搭載部に前記第一ＬＥＤ群の直列数よりも多数のＬＥＤチップを直列接続してなる第二ＬＥＤ群と、前記第一ＬＥＤ群の第一始端と前記第二ＬＥＤ群の第二始端とが接続されている第一外部端子と、前記第一ＬＥＤ群の第一終端と前記第二ＬＥＤ群の第二終端とが接続されている第二外部端子と、前記第一及び第二ＬＥＤ群を覆った封止体と、前記第一ＬＥＤ群と第一外部端子又は第二外部端子との間に前記第一ＬＥＤ群と直列に接続される抵抗と、からなるＬＥＤモジュールと、
前記ＬＥＤモジュールから放出される光を正反射し、内側の縦断面が近似放物線である反射傘と、
からなり、前記第一搭載部のみが、前記近似放物線の焦点の位置に設置されている照明装置とすることにより、電源電圧を増減させるだけで、照射範囲と明るさとを同時に制御できることを見出した。
【０００６】
さらに、前記抵抗は、前記第一ＬＥＤ群に流れる電流量と前記第二ＬＥＤ群に流れる電流量とが所定の電源電圧において逆転する抵抗値である照明装置とすることにより、広範囲を明るくするとき、手元が明るくなりすぎるのを防止できる。
【０００７】
さらに、前記第一ＬＥＤ群のみの１／２配光角が、１５°以下である照明装置とすることにより、狭小範囲を局所的に照らすことができる。なお、照明装置において「１／２配光角が１５°」とは、照明装置の光軸上の光度（最大光度）を基準に、光度がその１／２になる光度の方向の広がりが１５°という意味である。
【０００８】
さらに、前記封止体が、蛍光体を含む樹脂である照明装置とすることにより、照明装置から放出される光の色を調整することができるとともに、ＬＥＤチップを保護することができる。
【０００９】
さらに、前記封止体が、前記第一搭載部及び／又は第二搭載部の周囲を囲む樹脂製のダムの内側にて前記ＬＥＤチップを封止している照明装置とすることにより、封止体の成形を容易に行うことができるとともに、第一ＬＥＤ群と第二ＬＥＤ群の発光する領域を明確に区別することができる。
【００１０】
さらに、前記第二ＬＥＤ群が、前記第一ＬＥＤ群の周囲に配置されている照明装置とすることにより、第二ＬＥＤ群の設置位置を反射傘の焦点からずらすことができるとともに、第二ＬＥＤ群が照射する範囲を均等にすることができる。
【００１１】
さらに、前記第一ＬＥＤ群と前記第二ＬＥＤ群とは、同一の発光色である照明装置とすることにより、第一ＬＥＤ群の光と第二ＬＥＤ群の光とが混ざっても、照明装置は常に同じ色の光を放出する。
【発明の効果】
【００１２】
本発明によると、シンプルな構造で照射範囲と明るさとを同時に制御できるという優れた効果を発揮する。
【図面の簡単な説明】
【００１３】
【図１】本発明に用いる基板を示す平面図。
【図２】基板にＬＥＤチップを搭載した状態を示す平面図。
【図３】本発明に用いるＬＥＤモジュールを示す平面図。
【図４】本発明に用いる反射傘を示す断面斜視図。
【図５】本発明に係る照明装置を示す部分破断斜視図。
【図６】第一ＬＥＤ群、第二ＬＥＤ群及び照明装置全体における電源電圧と電流量との関係を示すグラフ。
【発明を実施するための形態】
【００１４】
以下、本発明の一実施形態について図面を参照しつつ説明する。なお、以下の説明において参照する各図の形状は、形状を説明するうえでの概念図又は概略図であり、形状や部品を簡略化したり、一部誇張したりしており、寸法比率等は実際の寸法比率とは必ずしも一致しない。つまり、本発明は、図面における寸法比率に限定されるものではない。
【００１５】
まず、光源となるＬＥＤモジュールを製造する。ＬＥＤモジュールに用いる基板は、金属基板の表面に絶縁処理を施した基板や、セラミックや樹脂等の絶縁体製の基板を用いるが、放熱性向上のため、熱伝導率の高い基板が好ましい。図１に示すように、基板１の上面には、その中央付近に第一ＬＥＤ群を搭載する第一搭載部２と、第二ＬＥＤ群を搭載する第二搭載部３とが設けられている。また、その外側には、第一ＬＥＤ群の始端及び第二ＬＥＤ群の始端が接続される第一外部端子４と、第一ＬＥＤ群の終端及び第二ＬＥＤ群の終端が接続される第二外部端子５とが設けられている。また、第一ＬＥＤ群の終端と第二外部端子５との間には、第一ＬＥＤ群と直列に接続される抵抗６が設けられている。抵抗６には、チップ抵抗を用いると目的に応じて抵抗値を変更できるため好ましいが、所定の抵抗値を有する金属ペーストを塗布し焼成して抵抗部を設けてもよい。
【００１６】
次に、図２に示すように、第一搭載部２及び第二搭載部３にＬＥＤチップ７を搭載する。ＬＥＤチップ７の底面には、図示しないが、接着剤が塗布されており、これを用いて基板１に接着する。接着剤には、熱伝導性に優れるものを使用すると、ＬＥＤチップ７から生じる熱を基板１に放出でき、ＬＥＤチップ７が高温になって破損するのを防ぐことができて好ましい。このＬＥＤチップ７は、第一ＬＥＤ群と第二ＬＥＤ群とで同じものを使用する。これにより、ＬＥＤモジュールから発せられる光の色は、明るさにかかわらず同じ色になる。
【００１７】
第一搭載部２に搭載するＬＥＤチップ７は、直列に３個、さらにそれを並列に３組接続し、第一ＬＥＤ群１１を形成する。ＬＥＤチップ同士の接続には、隣り合うＬＥＤチップ上面に設けられたアノードとカソードとを極細の導線ワイヤー１２で接続するのが好ましい。なお、以下、直列に接続した部品の個数を、「直列数」と称する。すなわち、第一ＬＥＤ群１１におけるＬＥＤチップ７の直列数は、３個である。第一ＬＥＤ群１１の第一始端１３のアノード側のワイヤー１２は、第一外部端子４に、第一終端１４のカソード側のワイヤー１２は抵抗６に接続される。このとき、各ワイヤー１２はそれぞれ第一始端１３側を第一外部端子４に、第一終端１４側を抵抗６に延ばしてもよいが、始端側と終端側にそれぞれ設けた中間接続部１５でワイヤー１２を一旦集約し、中間接続部１５から第一外部端子４や抵抗６にそれぞれ延ばしてもよい。
【００１８】
第二搭載部３に搭載するＬＥＤチップ７は、直列に４個、さらにそれを並列に２組接続し、第二ＬＥＤ群１６を形成する。すなわち、第二ＬＥＤ群１６におけるＬＥＤチップの直列数は、４個である。ＬＥＤチップ７同士の接続は、第一ＬＥＤ群と同様に、隣り合うＬＥＤチップ７上面に設けられたアノードとカソードとを極細の導線ワイヤー１２で接続するのが好ましい。第二ＬＥＤ群１６の第二始端１７のアノード側のワイヤー１２は、第一外部端子４に、第二終端１８のカソード側のワイヤー１２は第二外端部５に接続される。この、ＬＥＤチップ７の直列数が、第一ＬＥＤ群１１よりも第二ＬＥＤ群１６の方が多く、且つ、第一ＬＥＤ群１１にのみ直列に抵抗６が接続されるという構造により、電源電圧を徐々に上げていくと、先に第一ＬＥＤ群１１のみが点灯し、その後光が強くなっていき、遅れて第二ＬＥＤ群１６が点灯する。
【００１９】
次に、図３に示すように、第一ＬＥＤ群１１に透光性樹脂の封止体２１を塗布する。封止体２１によって一体化されるため、第一ＬＥＤ群１１は、疑似的に大きな１つの点光源となる。封止体は、ＬＥＤチップからの発光色を調整するために、蛍光体を含有していると好ましい。また、第一搭載部２及び／又は第二搭載部３の周囲に、予め樹脂にてダムを設けておくと、封止体が延展しすぎて第一外部端子４、第二外部端子５にかかってしまうのを防止できて好ましい。また、第一搭載部２の周囲と第二搭載部３の周囲の両方に、非透光性樹脂によるダムを設けておくと、第一ＬＥＤ群１１の発する光が、第一搭載部２のみから発せられるため、焦点外からの発光を防ぎ、１／２配光角が１５°以下の平行な光を増やすことができてさらに好ましい。さらに、第二ＬＥＤ群を、第一ＬＥＤ群に用いた封止体と同じ透光性樹脂の封止体にて封止すると、第一及び第二ＬＥＤ群の発光色を同一にすることができて好ましい。これにより、本発明に用いるＬＥＤモジュール２２が完成する。
【００２０】
次に、ＬＥＤモジュールに取り付ける反射傘を用意する。図４に示すように、反射傘３１は、その内側３２の光軸Ｌを通る任意の縦断面が放物線を焦点３３付近で水平に切断した近似放物線をしている。これにより、焦点３３の位置にＬＥＤモジュール２２を搭載することができる。なお、縦断面が完全な放物線であると、焦点３３が非常に小さくなってしまうため、本発明における「近似放物線」は、焦点３３が、ある程度の大きさを有するように、放物線から形状が変化していることが好ましい。この近似放物線は、断面がｙ＝Ａｘ２で近似され、Ａの範囲は、０．０５＜Ａ＜０．１０程度であるのが好ましい。近似放物線は、滑らかな曲線であることが望ましいが、多数の平面や曲面を組合せたファセット状であってもよい。
【００２１】
次に、図５に示すように、第一ＬＥＤ群１１のみが焦点３３の位置に置かれるように、反射傘３１の底部３４にＬＥＤモジュール２２を設置、固定することにより、本発明に係る照明装置４１が完成する。取付には、図示しないが、ヒートシンクを用意し、まずヒートシンクにＬＥＤモジュールを固定する。ヒートシンクには、ＬＥＤモジュール取付用に、適宜ネジ孔、固定用治具等を設ける。その後、ヒートシンクに、反射傘を取り付ける。反射傘とヒートシンクとの固定には、適宜ネジや治具を使用する。反射傘の内側は、光を拡散させず、入射角と反射角が等しくなる正反射をするように加工されており、例えば鏡面加工されたアルミ板で造られていると好ましい。
【００２２】
光軸を通る任意の縦断面が放物線である回転放物線の焦点の位置に点光源を設置すると、回転放物線で反射されて放出される光は、光軸と平行になる性質を持つ。本発明では、第一ＬＥＤ群１１（第一搭載部２）のみが、内側３２の縦断面が近似放物線状を有する反射傘３１の焦点３３の位置に置かれることにより、封止体２１によって疑似的に点光源となった第一ＬＥＤ群１１から放出される光を反射傘３１で反射して、照明装置から放出させることができ、光軸Ｌ上の１／２配光角が１５°以下の狭小範囲を局所的に照らすことができる。また、第二ＬＥＤ群１６（第二搭載部３）は焦点３３の位置から外れた位置に置かれているため、反射傘３１から出る光は拡散し、広範囲を照らすことができる。このとき、第二ＬＥＤ群１６が照らす範囲は、１／２配光角が２５°以上の広範囲であると好ましい。なお、本発明における「焦点」は、平行な光束をつくるための、放物線に対する数学的な意味、すなわち、ｘ−ｙ座標系上のｙ＝Ａｘ２における、点［０，１／（４Ａ）］に加えて、１／２配光角が１５°以下となる光を作ることのできる程度に拡大した範囲を意味する。
【００２３】
得られた照明装置４１の第一外部端子４及び第二外部端子５を、直流の外部電源に接続すると、外部電源の電源電圧を調整するだけで、電源電圧が低電圧の場合は第一ＬＥＤ群１１のみが点灯して局所的に照らすが、部屋全体は暗い状態となり、電源電圧を上げていくと、照明装置４１が照らす箇所は変わらずに明るさだけが徐々に明るくなっていき、さらに電源電圧を上げると、第二ＬＥＤ群１６も点灯し、広い範囲を照らしはじめ、照明装置４１を設置した部屋全体を明るくすることができるという、優れた効果を発揮する。
【００２４】
第二ＬＥＤ群１６の方がＬＥＤチップ７の直列数が多く、且つ、第一ＬＥＤ群１１にのみ直列に抵抗６が接続される効果について説明する。一般にＬＥＤは、発光しはじめるまでは内部の抵抗値が高く、発光しはじめると内部の抵抗値が大きく下がるという特性がある。また、一般にＬＥＤチップに流れる電流量が大きくなると、ＬＥＤチップはより明るく光る。本発明では第一ＬＥＤ群１１と第二ＬＥＤ群１６とで使用するＬＥＤチップ７は全て同一であるため、個々のＬＥＤチップ７が発光しはじめる電圧も全て同一である。なお、製造上の特性のバラつきは無視するものとする。以下、図６に示すように、電源電圧をＶ、第一ＬＥＤ群１１が発光しはじめる電源電圧をＶ１、第二ＬＥＤ群１６が発光しはじめる電源電圧をＶ２、第一ＬＥＤ群１１と第二ＬＥＤ群１６とに流れる電流量が同じになる電源電圧をＶ３として説明する。
【００２５】
電源電圧Ｖが０≦Ｖ＜Ｖ１の範囲にある場合は、第一ＬＥＤ群１１と、第二ＬＥＤ群１６とは、どちらも個々のＬＥＤチップ７が発光しはじめる電圧に達していないため、どちらも発光しない。
【００２６】
電源電圧Ｖを徐々に上げていき、Ｖ＝Ｖ１となったとき、第一ＬＥＤ群１１の方がＬＥＤチップ７の直列数が少ないため、ＬＥＤチップ７を個々で見たとき、第一ＬＥＤ群１１のＬＥＤチップ７は発光しはじめる電圧に到達しており発光しはじめるが、第二ＬＥＤ群１６は直列数が多いため、個々のＬＥＤチップ７にかかる電圧は発光しはじめる電圧に達しておらず、第二ＬＥＤ群１６のＬＥＤチップ７は発光しない。
【００２７】
さらに電源電圧Ｖを上げていきＶ１＜Ｖ＜Ｖ２の範囲の場合、すなわち第二ＬＥＤ群１６が発光しはじめる電源電圧までの場合、第二ＬＥＤ群１６のＬＥＤチップ７の内部抵抗と、第一ＬＥＤ群１１に接続された抵抗６とのバランスにより、第一ＬＥＤ群１１の方に多く偏って電流が流れ、第一ＬＥＤ群１１の光は徐々に強くなっていく。
【００２８】
さらに電源電圧Ｖを上げてＶ＝Ｖ２となったとき、第一ＬＥＤ群１１は発光したまま、第二ＬＥＤ群１６の各ＬＥＤチップ７にかかる電圧が発光しはじめる電圧に到達するため、第二ＬＥＤ群１６が発光しはじめる。
【００２９】
ここからさらに電源電圧Ｖを上げてＶ２＜Ｖ＜Ｖ３となる場合、第二ＬＥＤ群１６も徐々に明るさを増していくが、第一ＬＥＤ群１１の方が明るく光る。さらに電源電圧Ｖを上げてＶ＝Ｖ３となったとき、第一ＬＥＤ群１１と第二ＬＥＤ群１６の電流量が同じになり、明るさが同じになる。ここからさらに電源電圧を上げてＶ３＜Ｖとなると、第一ＬＥＤ群１１の方には抵抗６がついているため、第二ＬＥＤ群１６の抵抗値よりも、第一ＬＥＤ群１１の内部抵抗と抵抗６の合計の方が抵抗値が高くなり、第二ＬＥＤ群１６の方に電流が多く流れ始める。これにより、電源電圧ＶがＶ３より高い場合、第二ＬＥＤ群１６の方が強く発光する。
【００３０】
以上の作用により、電源電圧ＶがＶ１＜Ｖ＜Ｖ２である場合は、第一ＬＥＤ群１１のみが発光して１／２配光角が１５°以下の狭小範囲を局所的に照らすことができ、Ｖ２≦Ｖ＜Ｖ３である場合は、第二ＬＥＤ群１６も発光して広範囲を照らし始め、Ｖ３＜Ｖである場合は、第二ＬＥＤ群の方が明るく光り第一ＬＥＤ群１１よりも広範囲を照らしつつ手元が明るくなりすぎるのを防ぐことができるという優れた効果を発揮する。
【００３１】
次に、第一ＬＥＤ群１１（第一搭載部２）と第二ＬＥＤ群１６（第二搭載部３）とを分ける効果について説明する。第一ＬＥＤ群１１（第一搭載部２）と第二ＬＥＤ群１６（第二搭載部３）とは、基板１上の別々の領域に設けられる必要がある。同一の領域に配置してしまうと、電源電圧ＶをＶ２以上に上げたときに第二ＬＥＤ群１６も第一ＬＥＤ群１１と同一の場所だけを照らしてしまい、部屋全体を明るくすることができないためである。また、このとき、第一ＬＥＤ群１１（第一搭載部２）と第二ＬＥＤ群１６（第二搭載部３）とは明確に別々にされていれば十分であるが、第一ＬＥＤ群１１（第一搭載部２）を囲んだドーナツ状に第二ＬＥＤ群１６（第二搭載部３）を配置すると、第二ＬＥＤ群１６が照らす範囲にムラができないという効果がある。
【００３２】
次に、第一ＬＥＤ群１１と第二ＬＥＤ群１６とに用いられるＬＥＤチップ７の発光色を同一にする効果について説明する。上記の通り、本発明に係る照明装置４１では、電源電圧Ｖを上げていくと、第一ＬＥＤ群１１が先に点灯して狭小範囲を照らし、当該狭小範囲が徐々に明るさを増した後、第二ＬＥＤ群１６が点灯して広範囲を照らす。このとき、第一ＬＥＤ群１１と第二ＬＥＤ群１６とで発光色を同一にしておけば、第二ＬＥＤ群１６が点灯しはじめる電源電圧（Ｖ＝Ｖ２）付近において、利用者は光の色の変化を感じることなく、部屋全体が明るくなるため、光の色の変化による不快感を軽減することができる。
【００３３】
以上、本発明の詳細について、実施例を示しながら説明してきたが、ここで示したのは本発明の具体的な実施形態であり、その技術思想を踏まえた上で、発明の効果を著しく損なわない程度において、前記実施形態の一部を変更して実施することが可能であることが理解されるべきである。例えば、第一ＬＥＤ群１１（第一搭載部２）と第二ＬＥＤ群１６（第二搭載部３）とを別々の基板で作製し、第一ＬＥＤ群１１の基板の周囲に第二ＬＥＤ群１６の基板を配置することもできる。
【産業上の利用可能性】
【００３４】
本発明によると、屋内向けの照明装置の分野に幅広く利用することができる。
【符号の説明】
【００３５】
１：基板
２：第一搭載部
３：第二搭載部
４：第一外部端子
５：第二外部端子
６：抵抗
７：ＬＥＤチップ
１１：第一ＬＥＤ群
１２：ワイヤー
１３：第一始端
１４：第一終端
１５：中間接続部
１６：第二ＬＥＤ群
１７：第二始端
１８：第二終端
２１：封止体
２２：ＬＥＤモジュール
３１：反射傘
３２：内側
３３：焦点
３４：底部
４１：照明装置
Ｌ：光軸
【図１】
2018200817.tif 000003
【図２】
2018200817.tif 000004
【図３】
2018200817.tif 000005
【図４】
2018200817.tif 000006
【図５】
2018200817.tif 000007
【図６】
2018200817.tif 000008
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
第一搭載部と第二搭載部とを有する基板と、前記第一搭載部に複数個のＬＥＤチップを直列接続してなる第一ＬＥＤ群と、前記第二搭載部に前記第一ＬＥＤ群の直列数よりも多数のＬＥＤチップを直列接続してなる第二ＬＥＤ群と、前記第一ＬＥＤ群の第一始端と前記第二ＬＥＤ群の第二始端とが接続されている第一外部端子と、前記第一ＬＥＤ群の第一終端と前記第二ＬＥＤ群の第二終端とが接続されている第二外部端子と、前記第一及び第二ＬＥＤ群を覆った封止体と、前記第一ＬＥＤ群と第一外部端子又は第二外部端子との間に前記第一ＬＥＤ群と直列に接続される抵抗と、からなるＬＥＤモジュールと、
前記ＬＥＤモジュールから放出される光を正反射し、内側の縦断面が近似放物線である反射傘と、
からなり、前記第一ＬＥＤ群が１つの前記封止体によって覆われて疑似的な１つの点光源を形成し、該点光源が、前記近似放物線の焦点の位置に設置されており、前記第二搭載部が、前記点光源の外側に設置されており、
前記点光源の１／２配光角が１５°以下であり、前記第二ＬＥＤ群の１／２配光角が２５°以上である照明装置。
【請求項２】
前記点光源と第二ＬＥＤ群との間に非透光性のダムが設置されている請求項１に記載の照明装置。
【請求項３】
前記抵抗は、前記第一ＬＥＤ群に流れる電流量と前記第二ＬＥＤ群に流れる電流量とが所定の電源電圧において逆転する抵抗値である請求項１に記載の照明装置。
【請求項４】
前記封止体が、蛍光体を含む樹脂である請求項１に記載の照明装置。
【請求項５】
前記封止体が、前記第二搭載部の周囲を囲むダムの内側にて前記ＬＥＤチップを封止している請求項１に記載の照明装置。
【請求項６】
前記第一ＬＥＤ群と前記第二ＬＥＤ群とは、同一の発光色である請求項１に記載の照明装置。